(57)【特許請求の範囲】
【請求項１】
人形の関節を挟んで一方側に位置する一方側外装部材に連結される一方側関節体と他方側に位置する他方側外装部材に連結される他方側関節体とを連結してなる人形の関節部材であって、一方側関節体の他方側関節体と向かい合う対向面に突出軸が形成されており、他方側関節体の一方側関節体と向かい合う対向面に該対向面の反対面へ貫通する突出軸受け孔が一方側関節体の突出軸が嵌るように形成されており、突出軸受け孔の両開口間の一部に突出軸の軸径よりも狭い内径の軸締め部が形成されており、両関節体が互いに回転可能に連結されることを特徴とする人形の関節部材。
【請求項２】
突出軸受け孔の軸締め部が反対面側に位置する開口近傍に形成されている請求項１記載の人形の関節部材。
【請求項３】
突出軸受け孔の内径が軸締め部から対向面側に向かって広がっていることを特徴とする請求項１又は２のいずれかに記載の人形の関節部材。
【請求項４】
突出軸受け孔の内径が軸締め部から反対面側に向かって広がっていることを特徴とする請求項１乃至３のいずれかに記載の人形の関節部材。
【請求項５】
一方側関節体の突出軸が他方側関節体の突出軸受け孔に差し込まれた状態で突出軸受け孔の軸締め部から反対面側へ突出した突出軸の先端部が潰れて軸径が軸締め部の内径よりも広がっていることを特徴とする請求項１乃至４のいずれかに記載の人形の関節部材。
【請求項６】
請求項１乃至４のいずれかに記載の人形の関節部材を構成する一方側関節体と他方側関節体とからなる人形の関節部材セット。
【請求項７】
請求項１乃至５のいずれかに記載の関節部材を備えた人形。
【発明の詳細な説明】
【技術分野】
【０００１】
本発明は、人形の関節部材、該関節部材を備えた人形に関するものである。
【背景技術】
【０００２】
周知の通り、人形の関節部材は、ポーズの自由度に大きく影響を及ぼすため、従来から多種多様なものが開発されている。
【０００３】
例えば、図７に示すように、人体の関節を挟んで一方側に位置する一方側外装部材に連結される一方側関節体１００と人形の関節を挟んで他方側に位置する他方側外装部材に連結される他方側関節体１０１とを連結してなる人形の関節部材１０２であって、一方側関節体１００の他方側関節体１０１と向かい合う対向面１０３に突出軸１０４が形成されており、他方側関節体１０１の一方側関節体１００と向かい合う対向面１０５に突出軸受け部１０６が突出軸１０４に嵌るように形成されており、一方側関節体１００の突出軸１０４を他方側関節体１０１の突出軸受け部１０６に嵌め込むことによって該両関節体１００，１０１が互いに回転可能に連結される人形の関節部材がある。
【０００４】
また、後出特許文献１には、腰骨部材の大臀筋相当部に形成された凹係号部に嵌入する凸係合部を有する第１関節片と、脚の上端部に形成された嵌合孔に嵌入される垂直軸を有する第２関節片とからなり、第１関節片の突起軸が第２関節片の係合孔に嵌入して面接触状態で一体的に結合される脚付け根部材が開示されている。
【０００５】
さらに、図８に示すように、人体の関節を挟んで一方側に位置する一方側外装部材に連結される一方側関節体１００と人形の関節を挟んで他方側に位置する他方側外装部材に連結される他方側関節体１０１とを連結してなる人形の関節部材１０２であって、一方側関節体１００の他方側関節体１０１と向かい合う対向面１０３に形成された突出軸１０４にネジ孔１０７が設けられており、他方側関節体１０１の一方側関節体１００と向かい合う対向面１０５に突出軸１０４が嵌る突出軸受け部１０６が形成されていると共に該突出軸受け部１０６から貫通孔１０８が伸びており、一方側関節体１００の突出軸１０４を他方側関節体１０１の突出軸受け部１０６に嵌め込んだ状態で貫通孔１０８にネジ１０９を通してネジ孔１０７に該ネジ１０９を締め込むことによって両関節体１００，１０１が互いに回転可能に連結される人形の関節部材がある。
【０００６】
しかし、図７に示す人形の関節部材や前記特許文献１記載の脚付け根部材においては、突出軸（突起軸）と突出軸受け部（係合孔）との連結力が弱いため、両関節体を引き離す方向に外力が加わると簡単に外れてしまい、また、連結力を向上させるために、突出軸の軸径を突出軸受け部の内径に近づけると、連結作業時に突出軸が突出軸受け部に嵌り難く、突出軸を突出軸受け部に差し込んだ際に、突出軸受け部内に空気が閉じ込められて該空気によって突出軸が押し戻されて完全に嵌り合わないという問題点があった。
【０００７】
また、図８に示す人形の関節部材においては、ネジの締め込みによって両関節体を連結しているため、両関節体を引き離す方向に外力が加わったとしても両関節体が外れることはないが、ネジが露出して見栄えが非常に悪くなり、また、ネジを締め込むための作業工程が増えるため、製造効率が低下するという問題点があった。
【特許文献１】特開２０００−９３６６２号公報  第２，４頁  第４図
【発明の開示】
【発明が解決しようとする課題】
【０００８】
そこで、本発明は、両関節体の連結力が強く、また、見栄えの良い外観形状を有する人形の関節部材を得ることを技術的課題として、その具現化をはかるべく、試作・実験を繰り返した結果、人形の関節を挟んで一方側に位置する一方側外装部材に連結される一方側関節体と他方側に位置する他方側外装部材に連結される他方側関節体とを連結してなる人形の関節部材において、一方側関節体の他方側関節体と向かい合う対向面に突出軸を形成し、他方側関節体の一方側関節体と向かい合う対向面に該対向面の反対面へ貫通する突出軸受け孔を突出軸に嵌るように形成し、突出軸受け孔の両開口間の一部に突出軸の軸径よりも狭い内径の軸締め部を形成し、両関節体を互いに回転可能に連結すれば、両関節体の連結力が大幅に向上するという刮目すべき知見を得、前記技術的課題を達成したものである。
【課題を解決するための手段】
【０００９】
前記技術的課題は、次の通りの本発明によって解決できる。
【００１０】
即ち、本発明に係る人形の関節部材は、人形の関節を挟んで一方側に位置する一方側外装部材に連結される一方側関節体と他方側に位置する他方側外装部材に連結される他方側関節体とを連結してなる人形の関節部材であって、一方側関節体の他方側関節体と向かい合う対向面に突出軸が形成されており、他方側関節体の一方側関節体と向かい合う対向面に該対向面の反対面へ貫通する突出軸受け孔が一方側関節体の突出軸が嵌るように形成されており、突出軸受け孔の両開口間の一部に突出軸の軸径よりも狭い内径の軸締め部が形成されており、両関節体が互いに回転可能に連結されるものである。
【００１１】
また、本発明は、前記人形の関節部材において、突出軸受け孔の軸締め部が反対面側に位置する開口近傍に形成されているものである。
【００１２】
また、本発明は、前記いずれかの人形の関節部材において、突出軸受け孔の内径が軸締め部から対向面側に向かって広がっているものである。
【００１３】
また、本発明は、前記いずれかの人形の関節部材において、突出軸受け孔の内径が軸締め部から反対面側に向かって広がっているものである。
【００１４】
また、本発明は、前記いずれかの人形の関節部材において、一方側関節体の突出軸が他方側関節体の突出軸受け孔に差し込まれた状態で突出軸受け孔の軸締め部から反対面側へ突出した突出軸の先端部分が潰れてその軸径が軸締め部の内径よりも広がっているものである。
【００１５】
また、本発明に係る人形の関節部材セットは、前記いずれかの人形の関節部材を構成する一方側関節体と他方側関節体とからなるものである。
【００１６】
また、本発明に係る人形は、前記いずれかの人形の関節部材を備えたものである。
【００１８】
さらに、本発明に係る他の実施の形態としては、前記人形の関節部材において、突出軸受け孔の内径が軸締め部近傍のみ突出軸の軸径よりも狭いものとしてもよい。
【００１９】
また、本発明に係る他の実施の形態としては、前記人形の関節部材において、突出軸受け孔の軸締め部及び／又は突出軸の先端部分が外的圧力によって変形可能な材料によって形成してもよい。
【発明の効果】
【００２０】
本発明によれば、突出軸受け孔の両開口間の一部に突出軸の軸径よりも狭い内径の軸締め部を形成したので、突出軸受け孔に差し込まれた突出軸が軸締め部によって線接触状態で締め付けられ、両関節体が強固に連結され、両関節体を引き剥がす外力が加わっても容易に外れなくなる。また、突出軸受け孔の内径を軸締め部近傍のみ突出軸の軸径よりも狭くすることにより、突出軸受け孔の開口に対して突出軸の先端を容易に差し込むことができる。
【００２１】
従って、本発明の産業上利用性は非常に高いといえる。
【発明を実施するための最良の形態】
【００２２】
以下、本発明の実施の形態を図面に基づき説明する。
【００２３】
実施の形態１．
【００２４】
図１は本実施の形態に係る人形の手関節を示した説明図である。図２は図１に示す関節部材の一方側関節体を示した斜視図である。図３は図１に示す関節部材の他方側関節体を示した斜視図である。図４は図１に示す関節部材の動作状態を示した斜視図である。これらの図において、１は、人形の手関節を挟んで一方側に位置する手部材（一方側外装部材）であり、２は、人形の手関節を挟んで他方側に位置する前腕部材（他方側外装部材）であり、３は、手部材１に連結される一方側関節体４と前腕部材２に連結される他方側関節体５とを連結してなる関節部材である。なお、本発明における「人形」には、人体を模したものに限らず、ロボットや動物などを模したものも含まれる。
【００２５】
手部材１は、手関節側へ貫通する中空部６を有しており、手関節側先端には下向きに開口した球面凹部７が形成されている。
【００２６】
前腕部材２は、手関節側へ貫通する中空部８を有しており、手関節側先端には上向きに開口した球面凹部９が形成されている。
【００２７】
一方側関節体４は、図２に示すように、手部材１の中空部６に対して摺動状態で回転可能に差し込まれる軸部１０と、軸部１０の一方端に固定される半球状の関節部１１とから構成されており、関節部１１は、軸部１０に対して他方側関節体５と向かい合う対向面１２が垂直になるように位置付けられている。そして、関節部１１には、対向面１２の中央から突出軸１３が突出している。
【００２８】
他方側関節体５は、図３に示すように、前腕部材２の中空部８に対して摺動状態で回転可能に差し込まれる軸部１４と、軸部１４の一方端に固定される半球状の関節部１５とから構成されており、関節部１１は、軸部１４に対して一方側関節体４と向かい合う対向面１６が垂直になるように位置付けられている。そして、関節部１５には、対向面１６から該対向面１６の反対面１７へ貫通する突出軸受け孔１８が形成されている。そして、突出軸受け孔１８の両開口１９，２０間であって反対面１７側の開口２０近傍には、突出軸１３の軸径よりも狭い内径の軸締め部２１が形成されており、突出軸受け孔１８の内径は、軸締め部２１から両開口１９，２０へ向かってテーパー状が広がっている。従って、他方側関節体５の反対面１７には、カルデラ状の開口部２２が形成される（図１参照）。
【００２９】
なお、本発明に係る両関節体は、外的要因（例えば、圧力）によって変形可能な材料によって形成されており、例えば、ウレタン樹脂、ＡＢＳ樹脂、塩化ビニール樹脂、アクリル樹脂、ポリカーボネート樹脂、ポリプロピレン樹脂及びスチロール樹脂などの合成樹脂材料やアルミニウム、ステンレス、ダイキャスト合金、亜鉛合金、真鍮、銅、ジュラルミン、ベリリューム合金、チタン合金及び鉄などの金属材料によって形成されている。
【００３０】
次に、組立手順を説明する。
【００３１】
先ず、一方側関節体４の突出軸１３を他方側関節体５の突出軸受け孔１８に差し込んで両関節体４，５を連結させて関節部材３を形成する。この時、突出軸１３が突出軸受け孔１８の軸締め部２１を圧迫状態で通過して軸締め部２１に線接触状態で締め付けられて保持される。なお、両関節体４，５は外的圧力によって変形可能な材料によって形成されているため、突出軸１３が突出軸受け孔１８の軸締め部２１を通過する際に、突出軸１３と突出軸受け孔１８の軸締め部２１とが僅かに変形して嵌り合う。これにより、図４に示すよう、両関節体４，５は突出軸１３を回転軸として互いに回転可能に連結される。
【００３２】
次に、関節部材３における一方側関節体４の軸部１０を手部材１の中空部６に差し込み、球体状の関節部１１，１５の一部を手部材１の球面凹部７に嵌め込む。また、関節部材３における他方側関節体５の軸部１４を前腕部材２の中空部８に差し込み、球体状の関節部１１，１５の一部を前腕部材２の球面凹部９に嵌め込む。これにより、手部材１は、一方側関節体４の軸部１０を回転軸として関節部材３に対して回転可能に連結され、また、前腕部材２は、他方側関節体５の軸部１４を回転軸として関節部材３に対して回転可能に連結される。
【００３３】
実施の形態２．
【００３４】
本実施の形態は前記実施の形態１に係る関節部材の変形例である。図５及び図６は本実施の形態に係る関節部材を示した説明図であり、図５は一方側関節体における突出軸の先端部分を潰す前の状態を示しおり、図６は一方側関節体における突出軸の先端部分を潰した後の状態を示している。これらの図において、図１〜図４と同一符号は同一又は相当部分を示している。
【００３５】
本実施の形態に係る関節部材３は、図５に示すように、一方側関節体４の突出軸１３が他方側関節体５の突出軸受け孔１８よりも長く形成されている。このため、突出軸１３を突出軸受け孔１８に差し込んだ状態において突出軸受け孔１８の反対面１７側の開口２０から突出軸１３の先端部分２３が飛び出す。そして、図６に示すように、突出軸１３の先端部分２３を潰して該先端部分２３の軸径を軸締め部２１の内径よりも広がるように変形させ、他方側関節体５の反対面１７側に形成されたカルデラ状の開口部２２を突出軸１３の潰れた先端部分２３によって埋める。
【００３６】
本実施の形態によれば、突出軸の変形した先端部分が突出軸受け孔の開口部（軸締め部）に引っ掛かった状態となるため、両関節体を引き剥がす方向に外力が加わったとしても、両関節体が外れない。
【００３７】
なお、突出軸の先端部を潰す方法としては、突出軸の先端部分を形成する材料によっても異なるが、例えば、叩き潰す方法や溶融して潰す方法などがある。
【００３８】
本発明に係る人形の関節部材は、手関節や膝関節に限定されることなく、首関節、肩関節、肘関節、腰関節、股関節、膝関節、足関節などの他の関節においても採用することができる。
【００３９】
また、本発明に係る人形の関節部材を、外装部材に連結する場合には、前記各実施の形態のように軸によって連結してもよく、また、一体的に連結してもよい。
【図面の簡単な説明】
【００４０】
【図１】実施の形態１に係る人形の手関節を示した説明図である。
【図２】図１に示す関節部材の一方側関節体を示した斜視図である。
【図３】図１に示す関節部材の他方側関節体を示した斜視図である。
【図４】図１に示す関節部材の動作状態を示した斜視図である。
【図５】実施の形態２に係る関節部材を示した説明図である。
【図６】実施の形態２に係る関節部材を示した説明図である。
【図７】従来の人形の関節部材を示した分解斜視図である。
【図８】従来の人形の関節部材を示した分解斜視図である。
【符号の説明】
【００４１】
１  手部材
２  前腕部材
３  関節部材
４  一方側関節体
５  他方側関節体
６，８  中空部
７，９  球面凹部
１０，１４  軸部
１１，１５  関節部
１２，１６  対向面
１３  突出軸
１７  反対面
１８  突出軸受け孔
１９，２０  開口
２１  軸締め部
２２  開口部
２３  先端部
【図１】
0004586984.tif 000002
【図２】
0004586984.tif 000003
【図３】
0004586984.tif 000004
【図４】
0004586984.tif 000005
【図５】
0004586984.tif 000006
【図６】
0004586984.tif 000007
【図７】
0004586984.tif 000008
【図８】
0004586984.tif 000009